【手続補正書】
【提出日】平成20年3月5日(2008.3.5)
【手続補正１】
【補正対象書類名】明細書
【補正対象項目名】特許請求の範囲
【補正方法】変更
【補正の内容】
【特許請求の範囲】
【請求項１】  ボードビンディング用の回転台であって、
ボード上面に取付可能なベースと、
使用位置と前進歩行位置との間を該ベースに対して相対的に回転するように、該ベースに回転可能に取り付けられた回転板とを備え、
前記ビンディングが前記回転板に取り付けられて前記回転板が前記使用位置にあるとき、前記ビンディングは前記ボードの長軸と概ね直角方向に向くように構成され、
前記ビンディングが前記回転板に取り付けられて前記回転板が前記前進歩行位置にあるとき、該前進歩行位置は前記使用位置から放射状に離間した放射状の円弧に広がって位置し、前記ビンディングは該ビンディングと前記ボードの長軸とが略鋭角をなすように該ビンディング中にある使用者の第１の足を前記ボードの先端方向に向くように構成され、
前記回転板が前記円弧部を通過して回転する際には、自由回転の回転抵抗よりも大きく且つ前記回転板を予定された固定位置に固定しない程度に回転抵抗が増すように、前記回転板と前記ベースとの間に非固定のしかも非自由回転の回転抵抗が作用し、さらに、該回転抵抗は、回転に対して実質的に抵抗がない自由回転と、回転させるためには使用者の手又は第２の足によって解除することを要するような固定回転抵抗との間の範囲の抵抗を提供するように構成され、
使用者の第１の足がビンディング中にあり該ビンディングが回転板に取り付けられ、前記回転板が前記前進歩行位置から前記使用位置にまで戻った際に、前記使用者の第１の足によって前記使用位置にある前記回転板へ作用される回転力に抗して、前記ベースに対して前記使用位置にある回転板を解除可能に固定するような少なくとも一つの使用位置ラッチを有し、
前記回転板を前記使用位置から前記前進歩行位置にまで回転させるような第１の方向へ、前記第２の足によって加えられる力により作動するような、前記使用位置ラッチを解除するための作動装置を備えた
ことを特徴とするボードビンディング用の回転台。
【請求項２】  前記作動装置は、前記回転板に弾力的に取り付けられた弾力性アームを備え、該弾力性アームは第１の先端に受圧部材を備えており、その第１の先端は概ね前記回転台の径方向外方へ延びていることを特徴とする請求項１記載の回転台。
【請求項３】  前記使用位置ラッチは、前記弾力性アームに取り付けられた第１ツメと、ボードの上面に固着された回り止め部材とを備え、該回り止め部材には回り止めが形成され、前記第１ツメは、前記使用位置において前記回転板を解除可能に固定するために前記回り止めに解除可能に拘束され、
前記弾力性アームは、前記回転板に対して湾曲することによって前記ツメを前記回り止めによる拘束から解除することを特徴とする請求項２記載の回転台。
【請求項４】  前記使用位置ラッチは、ボードの上面に固着された回り止め部材を備え、該回り止め部材には回り止めが形成され、前記弾力性アームは前記使用位置において前記回転板を解除可能に固定するように前記回り止めに解除可能に拘束されることを特徴とする請求項２記載の回転台。
【請求項５】  前記受圧部材が、その上に力を受けて前記回り止めから前記弾力性アームを解放すべく該弾力性アームを曲げることを特徴とする請求項４記載の回転台。
【請求項６】  前記受圧部材が、前記弾力性アームを曲げて前記回転板を含む水平面から逸脱させることによって該弾力性アームを前記回り止めから解放するためのレバーであることを特徴とする請求項５記載の回転台。
【請求項７】  前記レバーが、前記回り止めの形成された前記回り止め部材の上面と係合するような支点を有するロッカーアームであることを特徴とする請求項６記載の回転台。
【請求項８】  前記受圧部材が、堅いキックプレートであることを特徴とする請求項２又は３記載の回転台。
【請求項９】  前記抵抗が、第２のツメと、該第２のツメと結合するために回転軌道上に配された一連のツメ受けによって作用するものであることを特徴とする請求項１記載の回転台。
【請求項１０】  前記抵抗が、第２のツメと、該第２のツメと結合するために回転軌道上に配された一連のツメ受けによって作用するものであることを特徴とする請求項２〜９の何れかに記載の回転台。
【請求項１１】  前記第２のツメが、前記回転板に取り付けられ、前記一連のツメ受けが、前記ベースに形成されていることを特徴とする請求項９記載の回転台。
【請求項１２】  前記第２のツメが、前記回転板に取り付けられ、前記一連のツメ受けが、前記ベースに形成されていることを特徴とする請求項１０記載の回転台。
【請求項１３】  前記第２のツメが、前記ベースに取り付けられ、前記一連のツメ受けが、前記回転板に形成されていることを特徴とする請求項９記載の回転台。
【請求項１４】  前記第２のツメが、前記ベースに取り付けられ、前記一連のツメ受けが、前記回転板に形成されていることを特徴とする請求項１０記載の回転台。
【請求項１５】  前記第２のツメが、前記作動装置に取り付けられ、前記一連のツメ受けが、前記ベースに形成されていることを特徴とする請求項９記載の回転台。
【請求項１６】  前記第２のツメが、前記弾力性アームに取り付けられ、前記一連のツメ受けが、前記ベースに形成されていることを特徴とする請求項１０記載の回転台。
【請求項１７】  前記第２のツメが、前記ベースに取り付けられ、前記一連のツメ受けが、前記作動装置に形成されていることを特徴とする請求項９記載の回転台。
【請求項１８】  前記第２のツメが、前記ベースに取り付けられ、前記一連のツメ受けが、前記弾力性アームに形成されていることを特徴とする請求項１０記載の回転台。
【請求項１９】  前記回り止め部材が、前記ボードに取付可能であることを特徴とする請求項３〜５の何れかに記載の回転台。
【請求項２０】  前記回り止め部材が、前記ベースに取り付けられていることを特徴とする請求項３〜５の何れかに記載の回転台。
【請求項２１】  ボードビンディング用の回転台であって、
ボード上面に取付可能なベースと、
使用位置と前進歩行位置との間を該ベースに対して相対的に回転するように、前記ビンディングに設けられ且つ該ベースに回転可能に取り付けられた回転板とを備え、
前記回転板が前記前進歩行位置にあるとき、前記ビンディングは前記ボードの長軸と概ね直角方向に向くように構成され、
前記回転板が前記前進歩行位置にあるとき、該前進歩行位置は前記使用位置から放射状に離間した放射状の円弧に広がって位置し、前記ビンディングは該ビンディングと前記ボードの長軸とが略鋭角をなすように該ビンディング中にある使用者の第１の足を前記ボードの先端方向に向くように構成され、
前記回転板が前記円弧部を通過して回転する際には、自由回転の回転抵抗よりも大きく且つ前記回転板を予定された固定位置に固定しない程度に回転抵抗が増すように、前記回転板と前記ベースとの間に非固定のしかも非自由回転の回転抵抗が作用し、さらに、該回転抵抗は、回転に対して実質的に抵抗がない自由回転と、回転させるためには使用者の手又は第２の足によって解除することを要するような固定回転抵抗との間の範囲の抵抗を提供するように構成され、
使用者の第１の足がビンディング中にあり前記回転板が前記前進歩行位置から前記使用位置にまで戻った際に、前記使用者の第１の足によって前記使用位置にある前記回転板へ作用される回転力に抗して、前記ベースに対して前記使用位置にある回転板を解除可能に固定する少なくとも一つの使用位置ラッチを有し、
前記回転板を前記使用位置から前記前進歩行位置にまで回転させるような第１の方向へ、前記第２の足によって加えられる力により作動するような、前記使用位置ラッチを解除するための作動装置を備えた
ことを特徴とするボードビンディング用の回転台。
【請求項２２】  前記作動装置は、前記回転板に弾力的に取り付けられた弾力性アームを備え、該弾力性アームは第１の先端に受圧部材を備えており、その第１の先端は概ね前記回転台の径方向外方へ延びていることを特徴とする請求項２１記載の回転台。
【請求項２３】  前記使用位置ラッチは、前記弾力性アームに取り付けられた第１ツメと、ボードの上面に固着された回り止め部材とを備え、該回り止め部材には回り止めが形成され、前記第１ツメは、前記使用位置において前記回転板を解除可能に固定するために前記回り止めに解除可能に拘束され、
前記弾力性アームは、前記回転板に対して湾曲することによって前記ツメを前記回り止めによる拘束から解除することを特徴とする請求項２２記載の回転台。
【請求項２４】  前記使用位置ラッチは、ボードの上面に固着された回り止め部材を備え、該回り止め部材には回り止めが形成され、前記弾力性アームは前記使用位置において前記回転板を解除可能に固定するように前記回り止めに解除可能に拘束されることを特徴とする請求項２２記載の回転台。
【請求項２５】  前記受圧部材が、その上に力を受けて前記回り止めから前記弾力性アームを解放すべく該弾力性アームを曲げることを特徴とする請求項２４記載の回転台。
【請求項２６】  前記受圧部材が、前記弾力性アームを曲げて前記回転板を含む水平面から逸脱させることによって該弾力性アームを前記回り止めから解放するためのレバーであることを特徴とする請求項２５記載の回転台。
【請求項２７】  前記レバーが、前記回り止めの形成された前記回り止め部材の上面と係合するような支点を有するロッカーアームであることを特徴とする請求項２６記載の回転台。
【請求項２８】  前記受圧部材が、堅いキックプレートであることを特徴とする請求項２２又は２３記載の回転台。
【請求項２９】  前記抵抗が、第２のツメと、該第２のツメと結合するために回転軌道上に配された一連のツメ受けによって作用するものであることを特徴とする請求項２１記載の回転台。
【請求項３０】  前記抵抗が、第２のツメと、該第２のツメと結合するために回転軌道上に配された一連のツメ受けによって作用するものであることを特徴とする請求項２２〜２７の何れかに記載の回転台。
【請求項３１】  前記抵抗が、第２のツメと、該第２のツメと結合するために回転軌道上に配された一連のツメ受けによって作用するものであることを特徴とする請求項２８記載の回転台。
【請求項３２】  前記第２のツメが、前記回転板に取り付けられ、前記一連のツメ受けが、前記ベースに形成されていることを特徴とする請求項２９記載の回転台。
【請求項３３】  前記第２のツメが、前記回転板に取り付けられ、前記一連のツメ受けが、前記ベースに形成されていることを特徴とする請求項３０又は３１記載の回転台。
【請求項３４】  前記第２のツメが、前記ベースに取り付けられ、前記一連のツメ受けが、前記回転板に形成されていることを特徴とする請求項２９記載の回転台。
【請求項３５】  前記第２のツメが、前記ベースに取り付けられ、前記一連のツメ受けが、前記回転板に形成されていることを特徴とする請求項３０又は３１記載の回転台。
【請求項３６】  前記第２のツメが、前記作動装置に取り付けられ、前記一連のツメ受けが、前記ベースに形成されていることを特徴とする請求項２９記載の回転台。
【請求項３７】  前記第２のツメが、前記弾力性アームに取り付けられ、前記一連のツメ受けが、前記ベースに形成されていることを特徴とする請求項３０又は３１記載の回転台。
【請求項３８】  前記第２のツメが、前記ベースに取り付けられ、前記一連のツメ受けが、前記作動装置に形成されていることを特徴とする請求項２９記載の回転台。
【請求項３９】  前記第２のツメが、前記ベースに取り付けられ、前記一連のツメ受けが、前記弾力性アームに形成されていることを特徴とする請求項３０又は３１記載の回転台。
【請求項４０】  前記回り止め部材が、前記ボードに取付可能であることを特徴とする請求項２３〜２５の何れかに記載の回転台。
【請求項４１】  前記回り止め部材が、前記ベースに取り付けられていることを特徴とする請求項２３〜２５の何れかに記載の回転台。